(57)【要約】      （修正有）  【課題】靴のサイズを低減させることができる中敷きを提供する。【解決手段】中敷きは基本面１、立体鞘２、切り整え部３を含み、前記基本面の前端に前記立体鞘が設けられ、前記立体鞘と前記基本面との間に足の指を受け入れる空洞が形成され、前記立体鞘の前端に少なくとも１つの切り整え部が設けられ、前記切り整え部の両端上にそれぞれ１つの連結部が設けられ、前記連結部を介して前記立体鞘と前記切り整え部が共に連結されている。該中敷きは靴の中に配置され、靴の中の空間を低減させ、靴を更に足に適合させることができる。それと同時に切り整え部を切り整えることによって、靴の中の空間を調整し、更に柔軟で便利に使用することができる。【選択図】図１
0003221564.tif 000002
【実用新案登録請求の範囲】
【請求項１】
靴のサイズを低減させることができる中敷きであって、基本面、立体鞘、切り整え部を含み、前記基本面の前端に前記立体鞘が設けられ、前記立体鞘と前記基本面との間に足の指を受け入れる空洞が形成され、前記立体鞘の前端に少なくとも１つの切り整え部が設けられ、前記切り整え部の両端上にはそれぞれ１つの連結部が設けられ、前記連結部を介して前記立体鞘と前記切り整え部が共に連結されている、ことを特徴とする、靴のサイズを低減させることができる中敷き。
【請求項２】
前記足の指を受け入れる空洞が足の前部と互いに適応している、ことを特徴とする、請求項１に記載の靴のサイズを低減させることができる中敷き。
【請求項３】
前記立体鞘の前端が密封され、後端が開口している、ことを特徴とする。請求項１に記載の靴のサイズを低減させることができる中敷き。
【請求項４】
前記切り整え部を１つ有し、前記切り整え部の両端の連結部が前記立体鞘の前端と互いに連結されている、ことを特徴とする、請求項１に記載の靴のサイズを低減させることができる中敷き。
【請求項５】
前記切り整え部を２つ以上有し、前記立体鞘に最も近い前記切り整え部の両端の連結部が前記立体鞘の前端と互いに連結され、その他の前記切り整え部の両端の連結部が隣接する切り整え部と互いに連結されている、ことを特徴とする、請求項１に記載の靴のサイズを低減させることができる中敷き。
【考案の詳細な説明】
【技術分野】
【０００１】
本実用新案は、靴の中敷きの技術分野に関し、具体的には、靴のサイズを低減させることができる中敷きに関する。
【背景技術】
【０００２】
インターネットでのショッピングが流行するにつれて、人々の消費に対する欲求はますます高まっており、自分が欲しい商品に対しては、衝動買いしてしまうことが多い。例えば、アパレルや靴などのファッションの分野では、サイズの基準が一様ではなく、購入する時に不注意で大きいものを買ってしまうことがある。靴の場合は、一般的に、大きいものを買ってしまったら、一サイズ或いは半サイズ大きいことがあり、返品することも非常に面倒であり、靴を捨てることにもなり更なる浪費をもたらす。
【考案の概要】
【０００３】
本実用新案の目的は、現在の技術不足を解決するために、靴のサイズを低減させることができる中敷きを提供することである。
【０００４】
本実用新案の目的は、以下の技術提案を介して実現することができる。すなわち、
靴のサイズを低減させることができる中敷きであって、基本面、立体鞘、切り整え部を含み、前記基本面の前端に前記立体鞘が設けられ、前記立体鞘と前記基本面との間に足の指を受け入れる空洞が形成され、前記立体鞘の前端に少なくとも１つの切り整え部が設けられ、前記切り整え部の両端上にそれぞれ１つの連結部が設けられ、前記連結部を介して前記立体鞘と前記切り整え部が共に連結されている、中敷きである。
【０００５】
更に、前記足の指を受け入れる空洞が足の前部と互いに適応している。
【０００６】
更に、前記立体鞘の前端が密封され、後端が開口している。
【０００７】
更に、前記切り整え部を１つ有し、前記切り整え部の両端の連結部が前記立体鞘の前端と互いに連結されている。
【０００８】
更に、前記切り整え部を２つ以上有し、前記立体鞘に最も近い前記切り整え部の両端の連結部が前記立体鞘の前端と互いに連結され、その他の前記切り整え部の両端の連結部が隣接する切り整え部と互いに連結されている。
【０００９】
以上述べたところを総合すると、上述の技術提案を採用したことによって、本実用新案は現在の技術と比較して以下の利点を有する。すなわち、
本実用新案が提供する中敷きは靴の中に配置され、靴の中の空間を低減させ、靴を更に足に適合させることができる。それと同時に切り整え部を切り整えることによって、靴の中の空間を調整し、更に柔軟で便利に使用することができる。
【図面の簡単な説明】
【００１０】
【図１】本実用新案に係る靴のサイズを低減させることができる中敷きの構造の概略図である。
【図２】本実用新案に係る靴のサイズを低減させることができる中敷きの概略側面図である。
【考案を実施するための形態】
【００１１】
以下、添付の図面に基づいて、本実用新案の具体的な実施形態を更に詳細に説明する。
【００１２】
図１及び図２を参照すると、本実用新案は靴のサイズを低減させることができる足鞘（靴の内側の中敷き、以下「中敷き」と呼ぶ）を提供し、図１及び図２は本実用新案に係る頭部がゆったりとした靴に適応する構造の概略図であり、該中敷きは、基本面１、立体鞘２、切り整え部３を含み、立体鞘２は基本面１の前端と相互に連結され、立体鞘２の前端は円弧形状である。
【００１３】
立体鞘２の前端は密封され、後端は開口している。立体鞘２と基本面１との間に足の指を受け入れる空洞が形成され、足の指を受け入れる空洞は足の前部と互いに適応する。
【００１４】
立体鞘２の前端に少なくとも１つの切り整え部３が設けられ、切り整え部３は円弧形状であり、切り整え部３の両端上にそれぞれ１つの連結部４が設けられ、連結部４を介して立体鞘２と切り整え部３が共に連結されている。
【００１５】
具体的には、切り整え部３を１つ有するときに、該切り整え部３の両端の連結部４は立体鞘２の前端と互いに連結される。
【００１６】
切り整え部３を２つ以上有するときに、立体鞘２に最も近い切り整え部３の両端の連結部４が立体鞘２の前端と互いに連結され、その他の切り整え部３の両端の連結部４が隣接する切り整え部３と互いに連結される。
【００１７】
買った靴があいにく大きく、自分の足と適応しないとき、本実用新案が提供する中敷きを靴の中に配置する。本実用新案に係る足の指を受け入れる空洞を用いて足の指を受け入れると、足の指を保護し足の指が移動することを防止できる。本実用新案を配置した後で、靴の中の空間が小さくなるように変化し、足を受け入れる方法がないときには、立体鞘２の前端の切り整え部３を切り整えることができ、それによって、靴の中の空間はちょうどよく足部を受け入れることができる。切り整え部３を切り整えるときに、連結部４を取り外して、その後、余剰の切り整え部３を取り除いて短くすることができ、操作が便利であり、簡単ですばやい。
【００１８】
本実用新案が提供する中敷きは靴の中に配置され、靴の中の空間を低減させ、靴を更に足に適合させることができる。それと同時に切り整え部３を切り整えることによって、靴の中の空間を調整し、更に柔軟で便利に使用することができる。
【００１９】
本実用新案に係る基本面１は具体的な需要に基づいて大小異なって製造することができ、立体鞘２と切り整え部３の形状は異なる靴の種類、例えば、ハイヒール、先端が鋭い革靴、頭部がゆったりとした運動靴など、に基づいて設計を行うことができ、それと同時に異なる広さ或いはサイズを設計することにより大小異なる靴に適応することができる。
【００２０】
以上、前述の実施例のみを使用して本実用新案の技術的思想及び利点を説明したが、その目的は当業者が本実用新案の内容を理解し且つそれに基づいて実施できることであり、本実施例のみに本実用新案の権利範囲が限定されるものではなく、すなわち、本実用新案が明らかにするところの精神と同等な如何なる変形例或いは修正例も、したがって本実用新案の権利範囲内に含まれる。
【図１】
0003221564.tif 000003
【図２】
0003221564.tif 000004
【手続補正書】
【提出日】平成31年3月29日(2019.3.29)
【手続補正１】
【補正対象書類名】実用新案登録請求の範囲
【補正対象項目名】全文
【補正方法】変更
【補正の内容】
【実用新案登録請求の範囲】
【請求項１】
靴のサイズを低減させることができる中敷きであって、基本面、立体鞘、切り整え部を含み、前記基本面の前端に前記立体鞘が設けられ、前記立体鞘と前記基本面との間に足の指を受け入れる空洞が形成され、前記立体鞘の前端に少なくとも１つの切り整え部が設けられ、前記切り整え部の両端上にはそれぞれ１つの連結部が設けられ、前記連結部を介して前記立体鞘と前記切り整え部が共に連結されている、ことを特徴とする、靴のサイズを低減させることができる中敷き。
【請求項２】
前記足の指を受け入れる空洞が足の前部と適応している、ことを特徴とする、請求項１に記載の靴のサイズを低減させることができる中敷き。
【請求項３】
前記立体鞘の前端が密封され、後端が開口している、ことを特徴とする。請求項１に記載の靴のサイズを低減させることができる中敷き。
【請求項４】
前記切り整え部を１つ有し、前記切り整え部の両端の連結部が前記立体鞘の前端と互いに連結されている、ことを特徴とする、請求項１に記載の靴のサイズを低減させることができる中敷き。
【請求項５】
前記切り整え部を２つ以上有し、前記立体鞘に最も近い前記切り整え部の両端の連結部が前記立体鞘の前端と互いに連結され、その他の前記切り整え部の両端の連結部が隣接する切り整え部と互いに連結されている、ことを特徴とする、請求項１に記載の靴のサイズを低減させることができる中敷き。